(57)【特許請求の範囲】
【請求項１】
それぞれの側壁に、互いに噛合するための対応する凹縁とフランジを有する一対のチェーンティースを、それぞれ基材の長手方向に等間隔で互いに交差するよう配置した第１、第２のチェーンラックと、
前記第１チェーンラックの両端に設けられ、可撓性を有する案内板と、該案内板の外側に設けられた雄型嵌合部材と、
前記第２チェーンラックの両端に設けられ、可撓性を有する案内ブラケットプレートと、該案内ブラケットプレートの外側に設けられた雌型嵌合部材と、
前端と後端を有し、該前端部には、互いに高さの異なる平面上に設けられた高位導入孔と、低位導入孔とを有し、各導入孔は、前記後端部の共通の同一平面に向かって延伸した後、該同一平面上において集中するとともに、前記後端部において共通の導出孔を形成するチャックヘッドとからなり、
前記チャックヘッドは、引張りリングを有さず、
前記第１、第２のチェーンラックが分離状態にある時、前記チャックヘッドは、第１のチェーンラックの開始端の前記案内板上に停止し、前記雄型嵌合部材と雌型嵌合部材とによって、前記案内板と案内ブラケットプレートとが嵌合され、その後、前記チャックヘッドが摺動して、前記第１、第２チェーンラックを前記高位導入孔、低位導入孔に導入し、前記同一平面上において噛合させるようにした立体噛合わせを用いた分離式チャック。
【請求項２】
前記高位導入孔の内側は、下方に向かって円弧を有する第１の案内面を形成し、低位導入孔の内側は、上方に向かって円弧を有する第２の案内面を形成し、第１及び第２の案内面は、チャックヘッド内において共通の同一平面上に集中するよう構成されたことを特徴とする請求項１に記載の立体噛合わせを用いた分離式チャック。
【請求項３】
前記チャックヘッドの側壁には、前記第１の案内面から延長する間隙を形成し、前記第２の案内面から延長する間隙を形成したことを特徴とする請求項２に記載の立体噛合わせを用いた分離式チャック。
【請求項４】
前記各案内ブラケットプレート上には、チャックヘッドを収容するための、それぞれ１つの収容空間が形成されることを特徴とする請求項１に記載の立体噛合わせを用いた分離式チャック。
【請求項５】
前記雄型嵌合部材は、１つのほぞキーを含み、前記雌型嵌合部材は、１つのほぞ目を含み、互いに嵌合することを特徴とする請求項１に記載の立体噛合わせを用いた分離式チャック。
【請求項６】
前記チャックヘッドの底面には、１つの突出した縦向きの案内条が形成され、前記案内ブラケットプレート上には、前記チャックヘッドの底面に形成した案内条に対応した案内溝が形成されていることを特徴とする請求項１に記載の立体噛合わせを用いた分離式チャック。
【請求項７】
等間隔で互いに交差し、噛合う一対のチェーンティースユニットがそれぞれ配置された第１、第２のチェーンラックと、
前端と後端を有し、該前端部平面上の両側に向かってそれぞれ設けられた高位導入孔と、低位導入孔とを有し、各導入孔は、集中後、前記後端部に設けられた導出孔に続くチャックヘッドとからなり、
前記チャックヘッドは、引張りリングを有さず、
前記チャックヘッドは、１つの位置決め装置によって位置が決められた後、摺動して前記第１、第２のチェーンラックを前記２つの導入孔から導入して後、一体に噛合わせ、
前記位置決め装置は、１対の可撓性の案内板及び１対の案内ブラケットプレートを含み、前記１対の案内板は１つのチェーンラックの両端にそれぞれ設置され、該記案内板はその外側において、１つの雄型嵌合部材を備え、前記１対の案内ブラケットプレートは他の１つのチェーンラックの両端にそれぞれ設置され、該案内ブラケットプレートはその外側において、１つの雌型嵌合部材を備えたことを特徴とする立体噛合わせを用いた分離式チャック。
【請求項８】
それぞれの側壁に、互いに噛合するための対応する凹縁とフランジを有する一対のチェーンティースを、それぞれ基材の長手方向に等間隔で互いに交差するよう配置した第１、第２のチェーンラックと、
前記第１チェーンラックの両端に設けられ、可撓性を有する案内板と、該案内板の外側に設けられた雄型嵌合部材と、
前記第２チェーンラックの両端に設けられ、可撓性を有する案内ブラケットプレートと、該案内ブラケットプレートの外側に設けられた雌型嵌合部材と、
前端と後端を有し、該前端部には、互いに高さの異なる平面上に設けられた高位導入孔と、低位導入孔とを有し、各導入孔は、前記後端部の共通の同一平面に向かって延伸した後、該同一平面上において集中するとともに、前記後端部において共通の導出孔を形成するチャックヘッドとからなり、
前記第１チェーンラックの開始端の雄型嵌合部材は、１つの摺動板を含み、該摺動板は両側にフランジ部を有し、前記第１、第２チェーンラックの開始端において、前記雄型嵌合部材と雌型嵌合部材の側壁部に、前記フランジ部に対応する摺動溝を有し、前記摺動板の摺動に供され、
前記第１、第２のチェーンラックが分離状態にある時、前記チャックヘッドは、第１のチェーンラックの開始端の前記案内板上に停止し、前記雄型嵌合部材と雌型嵌合部材とによって、前記案内板と案内ブラケットプレートとが嵌合され、その後、前記チャックヘッドが摺動して、前記第１、第２チェーンラックを前記高位導入孔、低位導入孔に導入し、前記同一平面上において噛合させるようにした立体噛合わせを用いた分離式チャック。
【請求項９】
前記摺動板は、下部のそれぞれの隅部に、円弧状の係止片が設けられ、該係止片の制止点に対応して、前記雄型嵌合部材と雌型嵌合部材に設けられた摺動溝の下方にそれぞれ１つの円弧状フランジが形成されたことを特徴とする請求項８に記載の立体噛合わせを用いた分離式チャック。
【請求項１０】
それぞれの側壁に、互いに噛合するための対応する凹縁とフランジを有する一対のチェーンティースを、それぞれ基材の長手方向に等間隔で互いに交差するよう配置した第１、第２のチェーンラックと、
前記第１チェーンラックの両端に設けられ、可撓性を有する案内板と、該案内板の外側に設けられた雄型嵌合部材と、
前記第２チェーンラックの両端に設けられ、可撓性を有する案内ブラケットプレートと、該案内ブラケットプレートの外側に設けられた雌型嵌合部材と、
前端と後端を有し、該前端部には、互いに高さの異なる平面上に設けられた高位導入孔と、低位導入孔とを有し、各導入孔は、前記後端部の共通の同一平面に向かって延伸した後、該同一平面上において集中するとともに、前記後端部において共通の導出孔を形成するチャックヘッドとからなり、
前記第１チェーンラックの終末端の雄型嵌合部材及び第２チェーンラックの終末端の雌型嵌合部材は、それぞれ内側に１つの係止スプリングを有し、
前記第１、第２のチェーンラックが分離状態にある時、前記チャックヘッドは、第１のチェーンラックの開始端の前記案内板上に停止し、前記雄型嵌合部材と雌型嵌合部材とによって、前記案内板と案内ブラケットプレートとが嵌合され、その後、前記チャックヘッドが摺動して、前記第１、第２チェーンラックを前記高位導入孔、低位導入孔に導入し、前記同一平面上において噛合させるようにした立体噛合わせを用いた分離式チャック。
【請求項１１】
それぞれの側壁に、互いに噛合するための対応する凹縁とフランジを有する一対のチェーンティースを、それぞれ基材の長手方向に等間隔で互いに交差するよう配置した第１、第２のチェーンラックと、
前記第１チェーンラックの両端に設けられ、可撓性を有する案内板と、該案内板の外側に設けられた雄型嵌合部材と、
前記第２チェーンラックの両端に設けられ、可撓性を有する案内ブラケットプレートと、該案内ブラケットプレートの外側に設けられた雌型嵌合部材と、
前端と後端を有し、該前端部には、互いに高さの異なる平面上に設けられた高位導入孔と、低位導入孔とを有し、各導入孔は、前記後端部の共通の同一平面に向かって延伸した後、該同一平面上において集中するとともに、前記後端部において共通の導出孔を形成するチャックヘッドとからなり、
前記チャックヘッドの低位導入孔の上部壁面に１つの円弧状凹溝が形成され、
前記第１、第２のチェーンラックが分離状態にある時、前記チャックヘッドは、第１のチェーンラックの開始端の前記案内板上に停止し、前記雄型嵌合部材と雌型嵌合部材とによって、前記案内板と案内ブラケットプレートとが嵌合され、その後、前記チャックヘッドが摺動して、前記第１、第２チェーンラックを前記高位導入孔、低位導入孔に導入し、前記同一平面上において噛合させるようにした立体噛合わせを用いた分離式チャック。
【請求項１２】
前記チャックヘッドは、前記終末端において、低位導入孔の円弧状凹溝が、前記雄型嵌合部材及び雌型嵌合部材の係止スプリングに係止されることを特徴とする請求項１１に記載の立体噛合わせを用いた分離式チャック。
【発明の詳細な説明】
【０００１】
【発明の属する技術分野】
本発明は、チャックの立体噛合わせを用いた分離式チャックに関するものであり、特に、立体噛合わせ方法を実現する２つのチェーンラックにより分離式チャックを構成し、両チェーンラックの噛合わせにあまり大きな界面空間を必要としない構造とすることにより、その適用範囲を拡大することのできる、チャックの立体噛合わせを用いた分離式チャックに関するものである。
【０００２】
【従来の技術】
従来の伝統的なチャック（ジッパー、フアスナーとも称される）の構造は、分離式と非分離式の２種に大別される。いずれの型のチャックにおいても、一対のチェーンティース（Ｃｈａｉｎ  Ｔｅｅｔｈ）間の噛合わせは、平面噛合わせの構造であるため、その適用箇所及び用途は、可撓性物品（軟質部材）の２つの部分の連結に制限される。例えば、可撓性物品としては衣料品、ハンドバック類等であり、硬質部材（例えば、家具、箱、タンス又は室内建材等）の２つの部分の連結には適用できなかった。次にその理由について説明する。
【０００３】
図９は従来のチャックの構造を示す図であり、図９（ａ）は非分離式チャック、図９（ｂ）は分離式チャック、図９（ｃ）は非分離式チャック、分離式チャックに共通の噛合わせ構造を示す図である。
【０００４】
図９（ａ）に示すように、非分離式チャック１は、両チェーンラック１０、１１の下端が下止め１３によって一体に締結されたものであり、使用対象物（衣料など）の２つの界面もまた、一端が分離しない状態で使用されなければならない。もしもこの非分離式チャック１が硬質部材から形成される（家具などの）２つの界面の連結に使用される場合には、該２つの界面は分離することができず、その使用条件を制限する一因になっている。
【０００５】
分離式チャック１’は、図９（ｂ）に示すように、両チェーンラック１０、１１のうち、一方のチェーンラック１０の下端には１つのほぞキー１３ａが締結され、もう一方のチェーンラック１１の下端には前記ほぞキー１３ａを収容する収容間隙を有する下止め１３を設けたものである。チェーンラック１０は、下端に締結されたほぞキー１３ａによって、チャックヘッド１４に形成された挿通間隙に挿通された後、もう一方のチェーンラック１１下端の下止め１３の収容間隙に収容され、両チェーンラック１０、１１の下端が連結された状態となる。
【０００６】
この分離式チャック１’は、両チェーンラック１０、１１を完全に分離することができるとはいえ、チェーンラック１０の下端に締結されたほぞキー１３ａが、チャックヘッド１４の挿通間隙に挿通され、チェーンラック１１下端の下止め１３の収容間隙に収容される際に、チェーンラック１０、１１（両チェーンラック１０、１１を縫い付けた布地等の使用対象物）に可撓性と十分な回動界面空間が必要になる。すなわち、両チェーンラック１０、１１の境界部分を押し広げ、回動させる一定の境界空間を形成できることが必須である。もしもこの分離型チャック１’を硬質部材の２つの界面の連結に使用するならば、ほぞキー１３ａが順調に、チャックヘッド１４の挿通間隙を挿通し、下止め１３の収容間隙に収容できない。このことが、適用に制約を生ずる他の一因になっている。
【０００７】
図９（ｃ）は、前記従来の伝統的な非分離型チャック１、分離式チャック１’の噛合わせ構造を示す図である。チェーンラック１０、１１にはそれぞれチェーンティース１２、１２’が規則正しく整列して設置されており、該チェーンティース１２、１２’を表裏から跨いで摺動可能（スライド可能）なチャックヘッド１４が設けられている。
【０００８】
チャックヘッド１４の前端にはそれぞれ両側方から導入孔１４ａ、１４ｂが設けられ、該導入孔１４ａ、１４ｂはチャックヘッド１４内で一体となり、チャックヘッド１４後端には共通の（一体となった）導出口１４ｃが形成されている。チェーンラック１０、１１に設置されたチェーンティース１２、１２’はチャックヘッド１４の導入孔１４ａ、１４ｂから導入され、該チャックヘッド１４内で対応するチェーンティース１２、１２’の各ティース同士が平面上で噛合わされて一体となったチェーンティース１２、１２’が導出口１４ｃから導出される。
【０００９】
図９（ｃ）から容易に理解できるように、チェーンラック１０、１１が未だチャックヘッド１４を通過しない部分の状態は、該チェーンラック１０、１１がおよそＶ字状に開いた形状であり、チェーンティース１２、１２’がチャックヘッド１４の導入孔１４ａ、１４ｂに導入され得る状態になっている。従って、もしもこれらの非分離式チャック１や分離式チャック１’を硬質部材の２つの界面の連結に使用するならば、チャックヘッド１４は順調にスライドせず、その適用に制約を生ずる更なる一因になっている。
【００１０】
【発明が解決しようとする課題】
このような従来構造のチャックは、チェーンティースの噛合わせが平面型であるため、該チェーンティースを噛合わせる際のチャックヘッドのスライドに一定の界面空間が必要であり、衣料製品やハンドバック等の軟質部材の連結にその用途が限られ、家具、箱体、タンスや室内建材など硬質部材から形成される２つの界面の連結には使用できないという問題点があった。
【００１１】
従って、本発明は、従来の伝統的なチャックの問題点に鑑み、立体チャック、すなわち、１対のチェーンラックの立体噛合わせを実現することにより、連結すべき部材に可撓性と、大きな界面空間を必要としないチャックを提供せんとするものであり、1対のチェーンラックを、チャックヘッド一端において高さの異なる平面位置から該チャックヘッドに導入可能であり、チャックヘッドが摺動（スライド）されるに従って、対応する一対のチェーンティースが、該チャックヘッド内で同じ平面に導かれて噛合わせることができる立体的噛合わせを用いた分離式チャックを提供することを課題とし、家具や箱体など硬質部材の連結に適用可能な、用途を拡大できるチャックを提供せんとするものである。
【００１２】
【課題を解決するための手段】
本発明は、上記の課題を達成するためになされたものであって、それぞれの側壁に、互いに噛合するための対応する凹縁とフランジを有する一対のチェーンティースを、それぞれ基材の長手方向に等間隔で互いに交差するよう配置した第１、第２のチェーンラックを有し、第１チェーンラックの両端にそれぞれ１つの可撓性を有する案内板が設けられ、チャックヘッドの摺動の開始端と終了端を規定し、案内板の外側にはそれぞれ１つの雄型嵌合部材が設けられ、第２チェーンラックの両端には、前記開始端と終了端に対応してそれぞれ案内ブラケットプレートが設けられ、案内ブラケットプレートの外側にはそれぞれ１つの雌型嵌合部材が設けられる。
【００１３】
１つのチャックヘッドは、前端と後端を有し、該前端部には、互いに高さの異なる平面上に設けられた高位導入孔と、低位導入孔とを有し、各導入孔は、前記後端部の共通の同一平面に向かって延伸した後、該同一平面上において集中するとともに、前記後端部において共通の導出孔が形成されている。
【００１４】
開始端の雄型嵌合部材と雌型嵌合部材によってチャックヘッドを簡易に位置決めした後、該チャックヘッドを摺動させ、第１、第２のチェーンラックを、それぞれ、高位導入孔、低位導入孔に導入し、導出孔に通過させることにより、両チェーンラック上のチェーンティースは同じ平面において噛合することができる。
【００１５】
従って、１対のチェーンラックの立体噛合わせが実現でき、連結すべき部材に可撓性と、大きな界面空間を必要としないため、硬質部材の連結にも適用可能な分離式チャックが提供される。
【００１６】
【発明の実施の形態】
本発明に係るチャックの立体噛合わせを用いた分離式チャックについて、添付の図面を参照して以下に詳細に説明する。
【００１７】
先ず始めに、本発明に係るチャックの立体噛合わせ方法、特に、硬質部材界面の連結を説明する。例えば、金属、プラスチック、ゴム、化学重合体、及び特殊処理をした硬度を有する材料などの硬質部材は、可撓性を持たず、回動による界面空間の形成力に欠けている。本発明に係るチャックの立体噛合わせを用いた分離式チャックは、このような特性に対して設計されたものである。
【００１８】
すなわち、本発明においては、適用対象部材の両連結界面を一緒にし、２つのチェーンラックをして、高さの異なる重畳状態とし、チャックヘッドの摺動開始端に簡易に位置決めした後、該チェックヘッドの摺動によって、異なる高さの平面から２つのチェーンラックを案内し、同じ平面上において噛合わせることができるようになされている。従って、本発明においては、チェーンラック間の噛合わせにおいて、対象部材の可撓性と回動の界面空間を必要としないため、従来の伝統的なチャックの欠点を改善することができる。
【００１９】
図１は、本発明の一実施形態に係る立体噛合わせの分離式チャックの平面図である。図１において、立体噛合わせの分離式チャック２は、２つの相対する長い基材上に、それぞれ等間隔で互いに交差する（噛合う）複数のティースを有するチェーンティースのユニット４を配置した第１チェーンラック２０及び第２チェーンラック３０を有する。
【００２０】
第１チェーンラック２０上のチェーンティースユニット４と、第２チェーンラック３０上のチェーンティースユニット４は、それぞれのティースの側壁に、対応する凹縁とフランジを形成して互いに噛合することができる。
【００２１】
第１チェーンラック２０の両端には、それぞれ１つの可撓性を有する長い案内板２１ａ、２１ｂを設けて、チャックヘッド５の摺動の開始端と終末端とする。この可撓性の案内板２１ａ、２１ｂの外側にそれぞれ１つの雄型嵌合部材２２ａ、２２ｂが設けられ、第２チェーンラック３０の両端には、前記開始端と終末端に対応して、それぞれ案内ブラケットプレート３１ａ、３１ｂが設けられ、この案内ブラケットプレート３１ａ、３１ｂの外側にそれぞれ１つの雌型嵌合部材３２ａ、３２ｂが設けられる。また、雌型嵌合部材３２ａ、３２ｂの外側に、それぞれ、１つの縦方向の案内溝３３ａ、３３ｂが設けられている。
【００２２】
図２には、本発明に係るチャックヘッド５の構造が示されており、図２（ａ）は前端から見た斜視図、図２（ｂ）は後端から見た斜視図、図２（ｃ）は断面図である。チャックヘッド５は、前端と後端の両端部を具備して、前端には、高さの異なる平面上にそれぞれ高位導入孔５１、低位導入孔５２が形成され、後端には導出孔５３が形成される。高位導入孔５１の内側は下方に向かって、円弧状を有する案内面５１ａを形成し、低位導入孔５２の内側は上方に向かって円弧状を有する案内面５２ａを形成し、両者は後端の中心平面（共通の同一平面）５３に向かって延伸した後、この同一面上において集合し、後端部の１つの共通の導出孔５３に連なっている。
【００２３】
チャックヘッド５の側壁は、高位導入孔５１に対応して、上から中心平面５３に向かって延伸する１つの間隙５１ｂを形成し、低位導入孔５２に対応して、下から中心平面に向かって延伸する１つの間隙５２ｂを形成し、第１チェーンラック２０及び第２チェーンラック３０の基材を穿出するのに供される。また、チャックヘッド５の底部には、１つの縦向きの突出した案内条５４が設けられている。
【００２４】
図３は、本発明に係るチャックの開始端の分離状態を示す部分拡大図であり、また、図４は、本発明に係るチャックの噛合わせ状態を示す図であり、図４（ａ）は部分拡大斜視図、図４（ｂ）は１部破断の平面図である。
【００２５】
第１チェーンラック２０の開始端の雄型嵌合部材２２ａは、１つのほぞキー２２１ａを有し、底部に縦向きの突出案内条２２２ａが設けられ、チャック２の分離状態において、チャックヘッド５は、第１チェーンラック２０上に位置し、高位導入孔５１は開始端の可撓性の長い案内板２１ａ上に停止し（図４（ｂ）に示す）、案内板２１ａは、ゴム類又は金属スプリング等とすることができ、チャックヘッド５の導入孔５１内で湾曲することができる。また、案内板２１ａの前端は１つの前導チェーンティース４’を含み、この前導チェーンティース４’と案内板２１ａは隣接して設けられ、チャックヘッド５を摺動する際に、順調にチェーンティース４の前端を導入することができる。
【００２６】
第２チェーンラック３０の開始端の案内ブラケットプレート３１ａの外側の雌型嵌合部材３２ａは、雄型嵌合部材２２ａのほぞキー２２１ａに対応して１つのほぞ目３２１ａが設けられ、両者は互いに嵌合され、雌型嵌合部材３２ａ前端にはチャックヘッド５に対応した１つの収容空間３４ａが設けられ、チャックヘッド５の位置決めに便ならしめ、その底面に設けられた縦向きの案内溝３３ａは、雄型嵌合部材２２ａ底部の案内条２２２ａ及びチャックヘッド５底部の案内条５４と互いに嵌合して正確に位置決めをなし、更に順調にチャックヘッド５を案内して摺動させることができる。
【００２７】
案内ブラケットプレート３１ａの前端は、１つの支持固定片３５ａを含み、最初のチェーンティース４をチャックヘッド５の低位導入孔５２の位置に位置決めして、チャックヘッド５を摺動させる場合、チェーンティース４を順調に低位導入孔５２内に滑り込ませるのに便ならしめている。また、雄型嵌合部材２２ａ上にも１つの摺動板２２３ａを含み、その摺動板２２３ａの両側にフランジ部２２４ａを具備し、雄型嵌合部材２２ａ及び雌型嵌合部材３２ａの側壁上には、このフランジ部２２４ａに対応して、それぞれ滑り溝２２５ａ、３２２ａを形成して摺動板２２３ａの滑走に供することができる。
【００２８】
摺動板２２３ａ下部の四隅にはそれぞれ１つの円弧状の係止片２２７ａが設けられ、係止片２２７ａの制限点に対応して、前記の滑り溝２２５ａ、３２２ａの下方にそれぞれ１つの円弧状のフランジ２２６ａ、３２３ａが設けられる。なお、その外に雄型嵌合部材２２ａの側壁フランジ２２６ａの相対端に１つの当接ブロック２２８ａが設けられて、摺動板２２３ａが抜け出すのを防止する。
【００２９】
雄型嵌合部材２２ａ及び雌型嵌合部材３２ａが嵌合された時、この摺動板２２３ａは、雌型嵌合部材３２ａの方向に押されて、嵌合片チップ２２７ａをフランジ３２３ａに嵌合させて締め付け状態にすることができ、雄型嵌合部材２２ａと雌型嵌合部材３２ａの嵌合を確保可能で、ゆるんで外れることがない（図４（ｂ）の局部拡大部Ｃ参照）。
【００３０】
これに対し、両者を分離させたい時は、摺動板２２３ａを雄型嵌合部材２２ａの方向に後退させ、嵌合片チップ２２７をフランジ２２５ａに嵌合させて、雄型嵌合部材２２ａと雌型嵌合部材３２ａを分離状態にすることができる。
【００３１】
前記のように、第１チェーンラック２０及び第２チェーンラック３０は雄型嵌合部材２２ａと雌型嵌合部材３２ａによって嵌合定位後、指でもってチャックヘッド５を押し動かせば、該チャックヘッド５は、案内ブラケットプレート３１ａ上の縦向きの案内溝３３ａに案内されて前端方向へ摺動し、第２チェーンラック３０を、低位導入孔５２内に導入する（図４（ａ）、図４（ｂ）図示の如くなる）。
【００３２】
図５は、本発明に係るチェーンティースの構造を示す図であり、図５（ａ）は噛合状態の平面図、図５（ｂ）は図５（ａ）のＢ−Ｂ断面図である。また、図６は、噛合の過程を示す図であり、図４（ｂ）におけるＡ−Ａ断面図である。
【００３３】
図５において、本発明に係るチェーンティース４によれば、各ティースは１つの頭部４ａ及び頸部４ｂを含み、その側壁にはそれぞれ１つのフランジ部４ｃ及び凹縁４ｄが設けられ、第１チェーンラック２０及び第２チェーンラック３０上のチェーンティース４の頭部４ａと頸部４ｂは互いに交差し、フランジ部４ｃと凹縁４ｄは互いに噛合する。
【００３４】
図６において、チャックヘッド５が摺動した時、第１チェーンラック２０は高位導入孔５１内に導入され、第２チェーンラック３０は低位導入孔５２に導入され、両者はそれぞれ案内面５１ａ、５２ａに沿って、後端の中心平面５３ａの方向に摺動する。高位導入孔５１の案内面５１ａは下方に向かう円弧状を呈しており、低位導入孔５２の案内面５２ａは上方に向かう円弧状を呈しているので、第１チェーンラック２０のチェーンティース４と、第２チェーンラック３０のチェーンティース４のフランジ部４ｃと凹縁４ｄは集中箇所において、丁度よく互いに噛合わされ、導出孔５３から導出される。
【００３５】
図７は、本発明に係るチャックの終末端の分離状態を示す部分拡大図であり、図８は、本発明に係るチャックの終末端におけるチャックヘッドの停止状態の断面図である。
【００３６】
図７、図８において、第１チェーンラック２０の終末端の雄型嵌合部材２２ｂは、１つのほぞキー２２１ｂを含み、底部には１つの案内条２２２ｂを有する。雄型嵌合部材２２ｂの内側には１つの可撓性の長い案内板２１ｂを含み、また、その内壁上には１つのフランジ部を具備する係止スプリング２６ｂが設けられている。この係止スプリング２６ｂの高さはチャックヘッド５の低位導入孔５２の高さに適合する。
【００３７】
第２チェーンラック３０の終末端の案内ブラケットプレート３１ｂの外側の雌型嵌合部材３２ｂは、雄型嵌合部材２２ｂのほぞキー２２１ｂに対応して１つのほぞ目３２１ｂが設けられ、両者（ほぞキー２２１ｂとほぞ目３２１ｂ）は互いにほぞ嵌合され、雄型嵌合部材３２ｂの内側には、チャックヘッド５に対応して１つの収容空間３４ｂが設けられて、チャックヘッド５の停止に供される。
【００３８】
案内ブラケットプレート３１ｂの底部上面の縦向きの案内溝３３ｂと、雄型嵌合部材２２ｂの底部に設けられた案内条２２２ｂ及びチャックヘッド５の底部の案内条５４とは互いに嵌合され、雄型嵌合部材２２ｂの内壁上においては、同様に１つのフランジ部を具備する係止スプリング３６ｂが設けられて、チャックヘッド５の低位導入孔５２とは同じ高さ上にある。
【００３９】
チャックヘッド５が終末端に摺動する時、雄型嵌合部材２２ｂのほぞキー２２１ｂは、雌型嵌合部材３２ｂのほぞ目３２１ｂ内に嵌合される。この時、チャックヘッド５は案内ブラケットプレート３１ｂの収容空間３４ｂに収容され、高位導入孔５１は、第１チェーンラック２０の終末端の案内板２１ｂ上に停止する。チャックヘッド５の低位導入孔５２の内部上壁には１つの円弧上の凹溝５５を含み、この凹溝５５は前記の係止スプリング２６、３６上に係止される（図８参照）。
【００４０】
以上、本発明の好適な実施形態について説明したが、本実施形態に限られることなく、特許請求の範囲に記載された発明の趣旨を逸脱することなく、種々の変更、改良が可能であることは明白である。
【００４１】
【発明の効果】
以上説明したように、本発明に係るチャックの立体噛合わせを用いた分離式チャックを利用すると、チェーンラック間の噛合わせに、可撓性と、大きい界面空間を必要としないため、広汎に、硬質部材の界面間の連結に使用することができ、従来の伝統的なチャックの持つ欠点を改善するのみならず、更に進んで積極的にその適用範囲を拡大することができる。
【図面の簡単な説明】
【図１】本発明に係る立体噛合わせの分離式チャックの平面図である。
【図２】本発明に係るチャックヘッド５の構造を示す図であり、図２（ａ）は前端から見た斜視図、図２（ｂ）は後端から見た斜視図、図２（ｃ）は断面図である。
【図３】本発明に係るチャックの開始端部の分離状態を示す部分拡大図である。
【図４】本発明に係るチャックの噛合状態を示す図であり、図４（ａ）は部分拡大斜視図、図４（ｂ）は１部破断の平面図である。
【図５】本発明に係るチェーンティースの構造を示す図であり、図５（ａ）は噛合状態の平面図、図５（ｂ）は図５（ａ）のＢ−Ｂ断面図である。
【図６】本発明に係るチェーンティースの噛合の過程を示す図であり、図４（ｂ）におけるＡ−Ａ断面図である。
【図７】本発明に係るチャックの終末端部の分離状態を示す部分拡大図である。
【図８】本発明に係るチャックの終末端部におけるチャックヘッドの停止状態の断面図である。
【図９】従来のチャックの構造を示す図であり、図９（ａ）は非分離式チャック、図９（ｂ）は分離式チャック、図９（ｃ）は非分離式チャック、分離式チャックに共通の噛合わせ構造を示す図である。
【符号の説明】
２…チャック                        ２０…第１チェーンラック
３０…第２チェーンラック            ２１ａ、２１ｂ…案内板
２２ａ、２２ｂ…雄型嵌合部材        ２２１ａ、２２１ｂ…ほぞキー
２２２ａ、２２２ｂ…案内条          ２２３ａ…摺動板
２２４ａ…フランジ部                ２２５ａ…滑り溝
２６ｂ…係止スプリング              ３０…第２チェーンラック
３１ａ、３１ｂ…案内ブラケットプレート
３２ａ、３２ｂ…雌型嵌合部材        ３２１ａ、３２１ｂ…ほぞ目
３２２ａ…滑り溝                    ３３ａ、３３ｂ…縦向き案内溝
３４ａ、３４ｂ…収容空間            ３５ａ、３５ｂ…支持固定片
３６ｂ…係止スプリング              ４…チェーンティース
４ａ…頭部                        ４ｂ…頸部
４ｃ…フランジ                    ４ｄ…凹縁
５…チャックヘッド                ５１…高位導入孔
５２…低位導入孔                    ５１ａ、５２ａ…案内面
５３…導出孔                        ５３ａ…中心平面（共通同一平面）
５１ｂ、５２ｂ…間隙                ５４…案内条
【図１】
0003590397.tif 000002
【図２】
0003590397.tif 000003
【図３】
0003590397.tif 000004
【図４】
0003590397.tif 000005
【図５】
0003590397.tif 000006
【図６】
0003590397.tif 000007
【図７】
0003590397.tif 000008
【図８】
0003590397.tif 000009
【図９】
0003590397.tif 000010